(57)【要約】【課題】ホワイトボード等の表面に対して繰り返し貼付可能及び剥離可能であり、貼付された状態で、映り込みが少なくコントラストの高い良好な映像を表示できる光制御シートを提供する。【解決手段】シート面に直交する断面において、裏面側における幅よりも映像源Ｌ側における幅が広い単位プリズム形状である光透過部１２と、光透過部１２の間に形成された光を吸収する光吸収部１３とを交互に多数並べて形成し、反射層を設けず、最も裏面側に、ホワイトボードＷ等の貼り付け対象物に繰り返し貼付及び剥離可能な貼付層１４を設けることにより実現した。【選択図】図１
2008032777.tif 000002
【特許請求の範囲】
【請求項１】
映像源から投射されて入射した光を制御する光制御シートであって、
シート面に対して直交する断面において、
光を透過可能な光透過部と、
光を吸収する光吸収部と、
を備え、
前記光透過部と前記光吸収部とが、シート面に沿って交互に形成されており、
最も裏面側には、光透過性を有し、貼り付け対象物に対して貼付可能であり、かつ、前記貼り付け対象物から剥離可能とする貼付層を備えること、
を特徴とする光制御シート。
【請求項２】
請求項１に記載の光制御シートにおいて、
前記貼付層は、前記貼り付け対象物に対して、繰り返し貼付及び剥離可能であること、
を特徴する光制御シート。
【請求項３】
請求項１又は請求項２に記載の光制御シートにおいて、
前記貼付層は、粘着材を用いて形成されていること、
を特徴とする光制御シート。
【請求項４】
請求項１から請求項３までのいずれか１項に記載の光制御シートにおいて、
前記光透過部は、シート面に対して直交する断面において、裏面側における幅より前記映像源側における幅が広い略台形形状である単位プリズム形状であり、シート面に沿って多数並べて形成されていること、
を特徴とする光制御シート。
【請求項５】
請求項１から請求項４までのいずれか１項に記載の光制御シートにおいて、
前記光吸収部は、前記光透過部の屈折率よりも屈折率が低いこと、
を特徴とする光制御シート。
【請求項６】
請求項１から請求項５までのいずれか１項に記載の光制御シートにおいて、
前記光吸収部は、光を吸収する微小ビーズを含むこと、
を特徴とする光制御シート。
【請求項７】
請求項６に記載の光制御シートにおいて、
前記光吸収部は、前記光透過部を形成する材料の屈折率よりも屈折率が低い樹脂に前記微小ビーズを混練することにより形成されていること、
を特徴とする光制御シート。
【請求項８】
請求項１から請求項７までのいずれか１項に記載の光制御シートにおいて、
前記貼付層の厚さは、５μｍ以上、５０μｍ以下の範囲内であること、
を特徴とする光制御シート。
【請求項９】
請求項１から請求項８までのいずれか１項に記載の光制御シートにおいて、
前記貼付層の厚さは、１０μｍ以上、３０μｍ以下の範囲内であること、
を特徴とする光制御シート。
【請求項１０】
請求項１から請求項９までのいずれか１項に記載の光制御シートにおいて、
全光線透過率は、４０％以上であること、
を特徴とする光制御シート。
【請求項１１】
請求項１から請求項１０までのいずれか１項に記載の光制御シートにおいて、
前記貼付層は、光を拡散する光拡散材を含有していること、
を特徴とする光制御シート。
【請求項１２】
請求項１から請求項１１までのいずれか１項に記載の光制御シートにおいて、
映像源側の表面には、アンチグレア処理、反射防止処理、帯電防止処理、ハードコート処理、防汚処理、紫外線吸収処理の少なくとも一つの処理が施されていること、
を特徴とする光制御シート。
【請求項１３】
請求項１から請求項１２までのいずれか１項に記載の光制御シートにおいて、
映像源側の表面には、正反射する成分を低減させる正反射防止層が形成されていること、
を特徴とする光制御シート。
【請求項１４】
請求項１３に記載の光制御シートにおいて、
前記正反射防止層によるヘイズ値は、２５％以上、９０％以下の範囲内にあること、
を特徴とする光制御シート。
【請求項１５】
請求項１３又は請求項１４に記載の光制御シートにおいて、
前記正反射防止層は、表面に微細凹凸形状が形成されており、前記微細凹凸形状により正反射する成分を低減させること、
を特徴とする光制御シート。
【請求項１６】
請求項１５に記載の光制御シートにおいて、
前記正反射防止層は、多数の微小ビーズと、前記微小ビーズを固着するバインダとを有しており、
前記微小ビーズが固着されている部分は、前記微小ビーズが固着されずに前記バインダのみとなっている部分よりも、映像源側へ突出して前記微細凹凸形状が形成されていること、
を特徴とする光制御シート。
【請求項１７】
請求項１から請求項１６までのいずれか１項に記載の光制御シートにおいて、
シート面に対して直交する断面での前記光透過部の裏面側の幅をｗｔとし、前記光吸収部の裏面側の幅をｗａとすると、
１／４≦ｗｔ／ｗａ≦２
の関係を満たすこと、
を特徴とする光制御シート。
【請求項１８】
請求項１から請求項１７までのいずれか１項に記載の光制御シートにおいて、
シート面に対して直交する断面での前記光透過部の裏面側の幅をｗｔとし、前記光吸収部の裏面側の幅をｗａとすると、
３／７≦ｗｔ／ｗａ≦１
の関係を満たすこと、
を特徴とする光制御シート。
【請求項１９】
請求項１から請求項１８までのいずれか１項に記載の光制御シートにおいて、
前記光透過部と前記光吸収部との境界面がシート面に対する法線方向となす角度をθとすると、
５°≦θ≦１５°
の関係を満たすこと、
を特徴とする光制御シート。
【発明の詳細な説明】
【技術分野】
【０００１】
本発明は、貼り付け対象物に貼付された状態で、映像源から投射され入射した映像光を制御する光制御シートに関するものである。
【背景技術】
【０００２】
従来、プロジェクターから投射された映像光を反射して表示する反射スクリーンは、広く知られており、例えば、ホームシアターや、会議やプレゼンテーション等に使用されている。このような反射スクリーンでは、不要時には巻き取って収納できる巻き取り式のものが多く使用されている。しかし、この巻き取り式の反射スクリーンでは、設置するためのスタンド等の機構が必要であり、また、スタンド等の組み立てや、そのような機構を設置するためのスペース等が必要となる場合があった。
【０００３】
特許文献１では、基材の一面に貼着面を設け、任意の壁面に剥離自在に貼着可能な反射型スクリーンが開示されている。しかし、特許文献１に記載の反射スクリーンでは、照明光等の不要な光（以下、外光と呼ぶ）に対する対策がなされておらず、明室環境下では、白みがかった不鮮明な映像となり、映像のコントラストが低下して、表示された映像が見難いという問題があった。
【０００４】
これは、特許文献１に記載の反射スクリーンを含む従来の反射スクリーンでは、映像光だけではなく外光までも反射させてしまうためである。そこで、従来の反射スクリーンでは、使用時には照明光等を暗くして、暗室環境下で使用する必要があった。
そのため、会議やプレゼンテーション等の場では、手元の資料を見たり、メモを取ったりすること等が難しく、また、照明の切り替えのたびに会議等の進行が中断するという問題があったため、明室環境下でもコントラストの高い映像を表示したいという要求が高まっていた。
【特許文献１】特開２００４−５４０６７号公報
【発明の開示】
【発明が解決しようとする課題】
【０００５】
本発明の課題は、ホワイトボード等の表面に対して繰り返し貼付可能及び剥離可能であり、貼付した状態で映り込みが少なくコントラストの高い良好な映像を表示できる光制御シートを提供することである。
【課題を解決するための手段】
【０００６】
本発明は、以下のような解決手段により、前記課題を解決する。なお、理解を容易にするために、本発明の実施例に対応する符号を付して説明するが、これに限定されるものではない。
請求項１の発明は、映像源から投射されて入射した光を制御する光制御シートであって、シート面に対して直交する断面において、光を透過可能な光透過部（１２，２２）と、光を吸収する光吸収部（１３，２３）と、を備え、前記光透過部と前記光吸収部とが、シート面に沿って交互に形成されており、最も裏面側には、光透過性を有し、貼り付け対象物（Ｗ）に対して貼付可能であり、かつ、前記貼り付け対象物から剥離可能とする貼付層（１４，２４）を備えること、を特徴とする光制御シート（１０，２０）である。
請求項２の発明は、請求項１に記載の光制御シートにおいて、前記貼付層（１４，２４）は、前記貼り付け対象物（Ｗ）に対して、繰り返し貼付及び剥離可能であること、を特徴する光制御シート（１０，２０）である。
請求項３の発明は、請求項１又は請求項２に記載の光制御シートにおいて、前記貼付層（１４，２４）は、粘着材を用いて形成されていること、を特徴とする光制御シート（１０，２０）である。
請求項４の発明は、請求項１から請求項３までのいずれか１項に記載の光制御シートにおいて、前記光透過部（１２，２２）は、シート面に対して直交する断面において、裏面側における幅より前記映像源側における幅が広い略台形形状である単位プリズム形状であり、シート面に沿って多数並べて形成されていること、を特徴とする光制御シート（１０，２０）である。
請求項５の発明は、請求項１から請求項４までのいずれか１項に記載の光制御シートにおいて、前記光吸収部（１３，２３）は、前記光透過部（１２，２２）の屈折率よりも屈折率が低いこと、を特徴とする光制御シート（１０，２０）である。
請求項６の発明は、請求項１から請求項５までのいずれか１項に記載の光制御シートにおいて、前記光吸収部（１３，２３）は、光を吸収する微小ビーズを含むこと、を特徴とする光制御シート（１０，２０）である。
請求項７の発明は、請求項６に記載の光制御シートにおいて、前記光吸収部（１３，２３）は、前記光透過部（１２，２２）を形成する材料の屈折率よりも屈折率が低い樹脂に前記微小ビーズを混練することにより形成されていること、を特徴とする光制御シート（１０，２０）である。
請求項８の発明は、請求項１から請求項７までのいずれか１項に記載の光制御シートにおいて、前記貼付層（１４，２４）の厚さは、５μｍ以上、５０μｍ以下の範囲内であること、を特徴とする光制御シート（１０，２０）である。
請求項９の発明は、請求項１から請求項８までのいずれか１項に記載の光制御シートにおいて、前記貼付層（１４，２４）の厚さは、１０μｍ以上、３０μｍ以下の範囲内であること、を特徴とする光制御シート（１０，２０）である。
請求項１０の発明は、請求項１から請求項９までのいずれか１項に記載の光制御シートにおいて、前記貼付層（１４，２４）の全光線透過率は、４０％以上であること、を特徴とする光制御シート（１０，２０）である。
請求項１１の発明は、請求項１から請求項１０までのいずれか１項に記載の光制御シートにおいて、前記貼付層（１４，２４）は、光を拡散する光拡散材を含有していること、を特徴とする光制御シート（１０，２０）である。
請求項１２の発明は、請求項１から請求項１１までのいずれか１項に記載の光制御シートにおいて、映像源側の表面には、アンチグレア処理、反射防止処理、帯電防止処理、ハードコート処理、防汚処理、紫外線吸収処理の少なくとも一つの処理が施されていること、を特徴とする光制御シート（１０）である。
請求項１３の発明は、請求項１から請求項１２までのいずれか１項に記載の光制御シートにおいて、映像源側の表面には、正反射する成分を低減させる正反射防止層（２６）が形成されていること、を特徴とする光制御シート（２０）である。
請求項１４の発明は、請求項１３に記載の光制御シートにおいて、前記正反射防止層（２６）によるヘイズ値は、２５％以上、９０％以下の範囲内にあること、を特徴とする光制御シート（２０）である。
請求項１５の発明は、請求項１３又は請求項１４に記載の光制御シートにおいて、前記正反射防止層（２６）は、表面に微細凹凸形状が形成されており、前記微細凹凸形状により正反射する成分を低減させること、を特徴とする光制御シート（２０）である。
請求項１６の発明は、請求項１５に記載の光制御シートにおいて、前記正反射防止層は、多数の微小ビーズと、前記微小ビーズを固着するバインダとを有しており、前記微小ビーズが固着されている部分は、前記微小ビーズが固着されずに前記バインダのみとなっている部分よりも、映像源側へ突出して前記微細凹凸形状が形成されていること、を特徴とする光制御シートである。
請求項１７の発明は、請求項１から請求項１６までのいずれか１項に記載の光制御シートにおいて、シート面に対して直交する断面での前記光透過部（１２）の裏面側の幅をｗｔとし、前記光吸収部（１３）の裏面側の幅をｗａとすると、１／４≦ｗｔ／ｗａ≦２の関係を満たすこと、を特徴とする光制御シート（１０，２０）である。
請求項１８の発明は、請求項１から請求項１７までのいずれか１項に記載の光制御シートにおいて、シート面に対して直交する断面での前記光透過部（１２）の裏面側の幅をｗｔとし、前記光吸収部（１３）の裏面側の幅をｗａとすると、３／７≦ｗｔ／ｗａ≦１の関係を満たすこと、を特徴とする光制御シート（１０，２０）である。
請求項１９の発明は、請求項１から請求項１８までのいずれか１項に記載の光制御シートにおいて、前記光透過部（１２）と前記光吸収部（１３）との境界面（１２ａ，１２ｂ）がシート面に対する法線方向となす角度をθとすると、５°≦θ≦１５°の関係を満たすこと、を特徴とする光制御シート（１０，２０）である。
【発明の効果】
【０００７】
本発明によれば、以下の効果を奏することができる。
（１）光を透過可能な光透過部と、光を吸収する光吸収部とを備え、光透過部と光吸収部とが、シート面に沿って交互に形成されており、最も裏面側には、光透過性を有し、貼り付け対象物に対して貼付可能であり、かつ、貼り付け対象物から剥離可能とする貼付層を備えるので、貼り付け対象物に貼付することにより、不要な外光を吸収してコントラストの高い映像を表示可能な反射スクリーンとして使用することができる。また、使用する状況等に合わせて、適宜貼り付け対象物を選択することができ、反射特性を自由に設定できる。さらに、使用しない場合は、取り外して収納することができる。さらにまた、貼り付け対象物となる表面があれば、どのような場所でも、容易に、かつ、短い時間で設置でき、明室環境下でもコントラストの高い、明るい映像を表示できる。
（２）貼付層は、貼り付け対象物に対して、繰り返し貼付及び剥離可能であるので、使用する状況等に合わせて、適宜貼り付け対象物を選択して反射特性を自由に設定でき、かつ、幾度でも貼り付け対象物に貼付して使用することができる。
（３）貼付層は、粘着材を用いて形成されているので、形成が容易であり、また、貼り付け対象物に容易に貼付できる。
（４）光透過部は、シート面に対して直交する断面において、裏面側における幅より映像源側における幅が広い略台形形状である単位プリズム形状であり、シート面に沿って多数並べて形成されているので、入射した光を所定の方向（観察方向）へ効率よく出射させることができる。
（５）光吸収部は、光透過部よりも屈折率が低いので、光吸収部と光透過部との境界面において、入射した光を全反射させることができ、反射損失を最小限とし、明るい映像を表示できる。
（６）光吸収部は、光を吸収する微小ビーズを含むので、簡単、かつ、確実に外光の吸収作用を得ることができる。
（７）光吸収部は、光透過部を形成する材料の屈折率よりも屈折率が低い樹脂に微小ビーズを混練することにより形成されているので、保護層を形成することなく、微小ビーズを固定することができる。
（８）貼付層の厚さは、５μｍ以上、５０μｍ以下の範囲内であるので、コントラストを低下させることなく、かつ、貼り付け対象物に貼付するために十分な保持力を有している。
（９）貼付層の厚さは、１０μｍ以上、３０μｍ以下の範囲内であるので、コントラストをより向上でき、かつ、貼り付け対象物に貼付するために十分な保持力を有している。
（１０）貼付層の全光線透過率は、４０％以上であるので、明るい映像を表示できる。
（１１）貼付層は、光を拡散する光拡散材を含有しているので、視野を拡大してスクリーンの正面方向での映像のぎらつきを防止することができ、また、光源の映り込み（ホットスポット）を抑制できる。
（１２）映像源側の表面には、アンチグレア処理、反射防止処理、帯電防止処理、ハードコート処理、防汚処理、紫外線吸収処理の少なくとも一つの処理が施されているので、使用環境に応じて適宜処理を選択することにより、より高品質な光制御シートとすることができる。
（１３）映像源側の表面には、正反射する成分を低減させる正反射防止層が形成されているので、映像源や照明光が光制御シートの表面に映り込むことを防止でき、より鮮明な画像を表示できる。
（１４）正反射防止層によるヘイズ値は、２５％以上、９０％以下の範囲内にあるので、画像が白みがかってしまうことなく、映り込みを効果的に防止できる。
（１５）正反射防止層は、表面に微細凹凸形状が形成されており、微細凹凸形状により正反射する成分を低減させるので、製造が容易であって、かつ、確実に映り込みを防止できる。
（１６）正反射防止層は、多数の微小ビーズと、微小ビーズを固着するバインダとを有しており、微小ビーズが固着されている部分は、微小ビーズが固着されずにバインダのみとなっている部分よりも、映像源側へ突出して微細凹凸形状が形成されているので、微小ビーズを混合する割合を変更することにより、任意に正反射防止効果及び拡散効果を設定できる。
（１７）シート面に対して直交する断面での光透過部の裏面側の幅をｗｔとし、光吸収部の裏面側の幅をｗａとすると、１／４≦ｗｔ／ｗａ≦２の関係を満たすので、コントラストが高く、明るい映像を表示できる。
（１８）シート面に対して直交する断面での光透過部の裏面側の幅をｗｔとし、光吸収部の裏面側の幅をｗａとすると、３／７≦ｗｔ／ｗａ≦１の関係を満たすので、さらにコントラストが高く、明るい映像を表示できる。
（１９）光透過部と光吸収部との境界面がシート面に対する法線方向となす角度をθとすると、５°≦θ≦１５°の関係を満たすので、コントラストが高く、明るい映像を表示できる。
【発明を実施するための最良の形態】
【０００８】
本発明は、ホワイトボード等の表面に対して繰り返し貼付可能及び剥離可能であり、貼付された使用状態で、映り込みが少なくコントラストの高い良好な映像を表示できる光制御シートを提供するという目的を、単位プリズム形状である光透過部を多数並べてその間に光吸収部を設け、反射層を設けず、最も裏面側に、貼り付け対象物に繰り返し貼付及び剥離可能な貼付層を設けることにより実現した。
【実施例１】
【０００９】
図１は、実施例１における光制御シート１０の使用状態を説明する断面図である。
図２は、実施例１における光制御シート１０の具体的な形状を示す図である。
なお、図１を含め、以下に示す各図は、説明のため各部寸法、形状などを適宜誇張して示している。特に図１は、室内照明Ｇ，映像源Ｌ，光制御シート１０をまとめて模式的に示しているので、実際とは配置関係が異なり、各光線の入射角度などが後述の説明における大小関係と異なる部分が含まれている。
本実施例における光制御シート１０は、貼り付け対象物であるホワイトボードＷ等の表面に貼付され、ホワイトボードＷ等の表面で反射した映像光を、コントラストの高い良好な映像として表示するために使用されるものである。この光制御シート１０は、映像光を投影するプロジェクター光学エンジン部（映像源）Ｌから映像光を上方斜めに投射させるような位置に配置され、外光（照明光等の不要光）の殆どがスクリーンの上方から光制御シートに入射することを考慮して開発されている。そして、下方から光制御シート１０に入射した映像光を、ホワイトボードＷによって反射して効率よく観察者Ｏ側へ戻し、上方からの外光を、後述の光吸収部により選択的に吸収させることで、非常にコントラストの高い映像を表示可能な光制御シートとして使用できるものである。
なお、本実施例では、光制御シート１０は、ホワイトボードＷの表面に貼付される例を示したが、これに限らず、例えば、貼り付け対象物の表面は、白色の壁面や鏡等、反射率が高い表面であれば、特に限定しない。また、貼り付け対象物の表面は、平滑面であることが、貼付した場合にも不意に剥がれることが無く、貼付作業も容易であり、好ましい。
図１には、光制御シート１０の使用状態における垂直方向の断面を示している。光制御シート１０は、ベース部１１，光透過部１２，光吸収部１３，貼付層１４，前面処理層１５等を備えている。
【００１０】
ベース部１１は、光透過部１２を形成するときに必要な基材となる部分であり、アクリル、ポリカーボネート（ＰＣ）、ポリエチレンテレフタレート（ＰＥＴ）等の樹脂製のシート又はフィルムから形成される光透過性を有する部分であり、本実施例では、アクリルを使用している。なお、このベース部１１には、必要に応じて所定の透過率に減じさせるようなグレー等の染料、顔料等で着色（ティント）が施されていてもよい。
【００１１】
光透過部１２は、図１の断面において、裏面側における幅より映像源Ｌ側における幅が広い略台形形状である単位プリズム形状であり、シート面に沿って（図１及び図２では上下方向に）多数並べて形成されている。
光透過部１２は、光透過部１２の間に形成される光吸収部１３との境界面となる斜面のうち、シートの使用状態での上方の斜面１２ａ及び下方の斜面１２ｂがシート面の法線方向となす角度は、いずれもθで等しく、シートの使用状態で上下対称な形状となっている。ここで、シート面とは、シート全体として見たときにおけるシートの平面方向となる面を示すものであり、以下の説明中、及び、特許請求の範囲においても同一の定義として用いている。なお、光透過部１２の裏面側を形成している台形の頂部である上底面１２ｃの幅を、ｗｔとする。
本実施例の光透過部１２は、屈折率１．５６の紫外線硬化樹脂をベース部１１に滴下して金型を当て、紫外線を照射して硬化させることにより形成されている。なお、本実施例では、紫外線硬化型樹脂を用いる例を示したがこれに限らず、例えば、電離放射線硬化型樹脂等の他の光硬化型樹脂や、熱可塑性樹脂を用いてもよい。また、アクリル樹脂やＰＥＴ樹脂を用いた熱溶融押し出し成型によって形成してもよい。
【００１２】
光吸収部１３は、光透過部１２が並ぶ間に形成された光を吸収する作用を有した部分である。本実施例における光吸収部１３は、光を吸収する微小ビーズとして平均粒径が６μｍである黒色顔料を含有する紫外線硬化型樹脂（屈折率１．４９）をワイピング（スキージング）することにより、光透過部１２の間に充填し、紫外線を照射して形成されている。
本実施例では、黒色顔料の平均粒径を６μｍとしたが、平均粒径は、１〜１０μｍ程度とすることが好ましい。これは、光を吸収する微小ビーズの平均粒径が、この範囲より小さいと、ワイピングによるかき取りが難しくなり、この範囲より大きいと、単位プリズム形状間への充填が困難になるからである。
なお、光吸収部１３の裏面を形成している略二等辺三角形の底辺部１３ａの幅を、ｗａとする。
【００１３】
貼付層１４は、光制御シート１０の最も裏面側に、全面に設けられ、貼り付け対象物となるホワイトボードＷ等に対して、この光制御シート１０を繰り返し貼付可能であり、剥離可能とする層である。この貼付層１４は、塩ビ酢ビ共重合樹脂（十条ケミカル株式会社製  JELCON  JSIメジウム）を塗布して形成され、粘着性を有しており、その厚さをｔとする。
なお、本実施例では、貼付層１４は、塩ビ酢ビ共重合樹脂を用いる例を示したが、これに限らず、例えば、アクリル系粘着剤や、ウレタン系粘着剤、シリコーン系粘着剤、ゴム系粘着剤等を用いて形成してもよい。また、粘着材を塗布するのではなく、粘着性を有するシートやフィルム等を光透過部１２の裏面側に貼付して形成してもよい。
【００１４】
前面処理層１５は、アンチグレア処理、反射防止処理、帯電防止処理、ハードコート処理、防汚処理、紫外線吸収処理等の各種表面処理が施される層であり、本実施例では、反射防止処理が施されている。なお、この前面処理層１５に施す処理は、光制御シート１０を使用する環境や目的等に応じて適宜選択すればよい。
【００１５】
本実施例の光制御シート１０の全光透過率は８２％である。なお、この全光線透過率は、ＪＩＳ  Ｋ７３６１−１９９７に準拠し、ヘイズメーター（ＮＤＨ２０００，日本電色工業株式会社製）を用いて測定した。
光制御シート１０は、光制御シート全体としての全光透過率が４０％以上であることが、明るい映像を表示するために望ましく、貼付層１４等は、光制御シート１０全体としての全光透過率が４０％以上となるように、適宜、材料、厚さ等を選択してよい。
【００１６】
光制御シート１０は、図１では、ホワイトボードＷに貼付されている使用状態を示したが、使用しない場合には、不図示の保護シートを貼付層１４に貼付し、巻き取る等して保管できる。保護シートは、紙やフィルム等を用いて形成され、貼付層１４を埃やゴミ等から保護し、また、保管時等に、貼付層１４が光制御シート１０の映像源側表面となる表面処理層１５の表面等に貼り付くことを防止している。
この保護シートは、貼付層１４に対して、繰り返し貼付可能であり剥離可能であるように、剥離層等を形成してもよく、また、その材質等は自由に選択してよい。
【００１７】
以上説明した光制御シート１０では、図１に示すように映像源Ｌから投影される映像光線Ｌ１，Ｌ２は、光透過部１２内を導波して光吸収部１３との境界面で全反射を行う。光吸収部１３の屈折率は、単位プリズム形状１２の屈折率よりも屈折率が低いので、この境界面において臨界角よりも大きな角度で入射する光は、全反射する。
そして、光透過部１２と光吸収部１３との境界面で全反射した映像光は、反射面となるホワイトボードＷの表面に到達して反射され、その後さらに境界面で全反射するなどして観察可能な光線として観察者Ｏ方向へ戻される。
【００１８】
一方、光制御シート１０の上方に設けられた室内照明Ｇなどからの外光Ｇ１，Ｇ２は、光制御シート１０に対する入射角度が大きいことから、光透過部１２と光吸収部１３との境界面における入射角度が小さくなり、臨界角を超えない成分が多く、全反射をすることなく光吸収部１３に入射して、微小ビーズにより吸収される。従って、外光が観察者Ｏの位置に戻る割合を非常に少なくすることができる。
よって、光制御シート１０に実際に映像光を投影すると、投影画像については高い反射率を有し、外光については十分に吸収することができる。
【００１９】
ここで、本実施例では、上底面１２ｃの幅ｗｔと、底辺部１３ａの幅ｗａとの比ｗｔ／ｗａについて、以下の式を満足する形状となるように、光透過部１２及び光吸収部１３が形成されている。
１／４≦ｗｔ／ｗａ≦２  ・・・式（１）
また、光透過部１２と光吸収部１２との境界面である斜面１２ａ，１２ｂがシート面に対する法線となす角度θについて、以下の関係式を満足する形状となるように、光透過部１２及び光吸収部１３が形成されている。
５°≦θ≦１５°  ・・・式（２）
【００２０】
本実施例では、上記式（１）及び式（２）を満足する具体的な形態として、具体例１〜具体例８の光制御シートを作成した。
具体例１の光制御シートは、ｗｔ＝１３μｍ，ｗａ＝５２μｍ（ｗｔ／ｗａ＝１／４），θ＝９°となるように、光透過部１２及び光吸収部１３が形成されている。
具体例２の光制御シートは、ｗｔ＝２２μｍ，ｗａ＝４３μｍ（ｗｔ／ｗａ≒１／２），θ＝９°となるように、光透過部１２及び光吸収部１３が形成されている。
具体例３の光制御シートは、ｗｔ＝３２．５μｍ，ｗａ＝３２．５μｍ（ｗｔ／ｗａ＝１），θ＝９°となるように、光透過部１２及び光吸収部１３が形成されている。
具体例４の光制御シートは、ｗｔ＝４３．３μｍ，ｗａ＝２１．７μｍ（ｗｔ／ｗａ≒２），θ＝９°となるように、光透過部１２及び光吸収部１３が形成されている。
具体例５の光制御シートは、ｗｔ＝１９．５μｍ，ｗａ＝２２μｍ（ｗｔ／ｗａ＝３／７），θ＝９°となるように、光透過部１２及び光吸収部１３が形成されている。
【００２１】
具体例６の光制御シートは、ｗｔ＝２６μｍ，ｗａ＝３９μｍ（ｗｔ／ｗａ＝２／３），θ＝５°となるように、光透過部１２及び光吸収部１３が形成されている。
具体例７の光制御シートは、ｗｔ＝２６μｍ，ｗａ＝３９μｍ（ｗｔ／ｗａ＝２／３），θ＝９°となるように、光透過部１２及び光吸収部１３が形成されている。
具体例８の光制御シートは、ｗｔ＝２６μｍ，ｗａ＝３９μｍ（ｗｔ／ｗａ＝２／３），θ＝１５°となるように、光透過部１２及び光吸収部１３が形成されている。
【００２２】
また、これらと比較するために、比較例１〜比較例４の光制御シートを作成した。
比較例１の光制御シートは、ｗｔ＝２６μｍ，ｗａ＝１５６μｍ（ｗｔ／ｗａ＝１／６），θ＝９°となるように、光透過部１２及び光吸収部１３が形成されている。
比較例２の光制御シートは、ｗｔ＝５７μｍ，ｗａ＝８μｍ（ｗｔ／ｗａ＝５７／８≒７．１），θ＝９°となるように、光透過部１２及び光吸収部１３が形成されている。
比較例３の光制御シートは、ｗｔ＝２６μｍ，ｗａ＝３９μｍ（ｗｔ／ｗａ＝２／３），θ＝３°となるように、光透過部１２及び光吸収部１３が形成されている。
比較例４の光制御シートは、ｗｔ＝２６μｍ，ｗａ＝３９μｍ（ｗｔ／ｗａ＝２／３），θ＝２０°となるように、光透過部１２及び光吸収部１３が形成されている。
これらの具体例１〜具体例８及び比較例１〜比較例４の光制御シートは、すべて、貼付層１４の厚さｔが等しく、２０μｍである。
【００２３】
このような具体例１〜具体例８及び比較例１〜比較例４の光制御シートについて、コントラストを比較して評価した。
コントラストの評価は、各光制御シートをホワイトボードＷに貼付して映像源Ｌから光を投射し、輝度計を用いて各光制御シートの輝度を測定した。
このとき用いたホワイトボードＷは、コクヨファニチャー株式会社製ＦＢ−Ｓ３４Ｗである。
ここで、コントラストとは、映像源Ｌが白を再現する光を投射したときの光制御シートの輝度と、映像源Ｌが黒を再現する光を投射したときの光制御シートの輝度との比である。この比が大きいほど、コントラストが高い鮮明な映像となり、この比が低いほど、コントラストが低く、白っぽい、不鮮明な映像となる。
【００２４】
測定に使用した本実施例の光制御シート１０の具体例１〜具体例８及び比較例１〜比較例４の光制御シートは、使用状態での垂直方向の大きさが９１４ｍｍ、水平方向の大きさが１２１９ｍｍ（６０インチ）である。
映像源Ｌは、具体例１〜具体例８、比較例１〜比較例４の光制御シートのシート面から、水平方向に２３０ｃｍ離れた位置に固定され、光は、各光制御シートの中央より１５ｃｍ下方となる位置（位置Ｐとする）に対して水平に投射される。なお、本測定に使用した映像源Ｌは、ＥＭＰＴＷ２００Ｈ（セイコーエプソン株式会社製）であり、投射する光束は、１５００ｌｍである。
【００２５】
輝度計は、各光制御シートのシート面から１７０ｃｍ離れ、上述の位置Ｐを通る法線と、位置Ｐと輝度計とを通る直線がなす角度が、５°となる位置で輝度を測定した。なお、この５°だけ角度をずらして測定を行ったのは、投射する光束を輝度計により遮ってしまわないようにするためである。本測定に使用した輝度計は、ＬＳ１１０（ミノルタ株式会社製）である。なお、映像源Ｌ，輝度計，位置Ｐは、床面からの高さがともに１００ｃｍであり、床面からの高さが等しい同一平面内に配置されている。
測定は、床面からの高さが１００ｃｍでの照明（外光源）による明るさ（照度）が８００ｌｘである明室環境下で行われ、床面から天井までの距離は３００ｃｍである。
【００２６】
また、コントラストの測定に加えてゲインについても測定して評価した。
ここで、ゲインとは、完全拡散面を有した反射拡散板と比較したときの各光制御シートの相対輝度であり、このゲインが高いほど、明るい映像を観察可能となる。
ゲインの測定条件は、上述したコントラストの測定条件と略等しい条件で行った。映像源Ｌの位置、ゲインの測定位置である輝度計の位置、映像源Ｌから映像光が水平に投射される位置Ｐ等は、コントラストの測定位置と同様である。
ただし、コントラストの測定は、明室環境下（８００ｌｘ）で行ったのに対して、ゲインの測定は、暗室環境下（１１ｘ）で行った。この条件で、各光制御シートに加えて、完全拡散面を有した反射拡散板の輝度を測定し、ゲインを算出した。
なお、コントラスト及びゲインについては、コントラストが６以上、ゲインが０．５以上であれば、十分に高品位な映像を得ることができる。
まず、光制御シートが貼付されていない状態のホワイトボードＷのコントラストとゲインについて測定したところ、コントラストは２．８、ゲインは１．２であり、コントラストが低く表示される映像は不明瞭で見難いものであった。
【００２７】
【表１】
2008032777.tif 000003
【００２８】
表１には、具体例１〜具体例５及び比較例１，比較例２の結果を、ｗｔ／ｗａに着目してまとめて示している。表１の結果から分かるように、具体例１〜具体例５では、ｗｔ／ｗａが先に示した式（１）を満たしており、コントラスト及びゲインが高い値を示している。
そして、より高いコントラスト及びゲインを得るためには、ｗｔ／ｗａは、以下の関係式を満足するとよいことが具体例２，具体例３，具体例５の結果から分かる。
３／７≦ｗｔ／ｗａ≦１  ・・・式（３）
【００２９】
【表２】
2008032777.tif 000004
【００３０】
表２には、具体例６〜具体例８及び比較例３，比較例４の結果を、θに着目してまとめて示している。表２の結果から分かるように、具体例６〜具体例８では、θが先に示した式（２）を満たしており、コントラスト及びゲインが高い値を示している。
従って、表２の結果より、高いコントラストを得るためには、θは、式（２）を満足するとよいと言える。
【００３１】
よって、式（１）及び式（２）の少なくとも一方の関係を満たすことにより、明るくコントラストの高い映像を表示できる。また、式（３）を満たすことにより、さらに明るくコントラストの高い高品位な映像を表示できる。
【００３２】
次に、本実施例の光制御シート１０では、貼付層１４の厚みｔは、５μｍ以上、５０μｍ以下の範囲内であり、略均一に形成されている。
そこで、貼付層１４の厚みｔが２μｍ，５μｍ，１０μｍ，２０μｍ，３０μｍ，５０μｍ，１００μｍ，２００μｍの８種類の光制御シートを用意し、コントラスト及びゲインを測定した。コントラスト及びゲインの測定条件等は、前述の通りである。
なお、上述の８種類の光制御シートは、全て、光透過部１２及び光吸収部１３の形状が、前述の具体例７に等しく、ｗｔ＝２６μｍ，ｗａ＝３９μｍ（ｗｔ／ｗａ＝２／３），θ＝９°となるように形成されている。
【００３３】
【表３】
2008032777.tif 000005
【００３４】
表３の結果に示すように、コントラストに関しては、貼付層１４の厚みｔが５μｍ以上、１００μｍ以下であれば、良好であると言える。また、ゲインに関しては、貼付層１４の厚みｔが５０μｍ以下であれば、良好と言える。
以上の結果から、コントラスト及びゲインが高く、良好な映像を表示するためには、貼付層１４の厚みｔが５μｍ以上、５０μｍ以下であればよいと言える。そして、表３の結果から、より高いコントラスト及びゲインを得るためには、１０μｍ以上、３０μｍ以下であることが好ましいと言える。
【００３５】
また、前述した、貼付層１４の厚みｔが、２μｍ，５μｍ，１０μｍ，２０μｍ，３０μｍ，５０μｍ，１００μｍ，２００μｍの８種類の光制御シートを用いて、貼り付け対象物に貼付された使用状態の保持性能に関して調べた。
各光制御シートが貼付される貼り付け対象物として、ホワイトボードＷとビニール系の樹脂を用いて形成された不図示の壁紙を用意した。各光制御シートは、貼り付け対象物に貼付して放置され、貼付直後と、貼付後６時間経過後、１２時間経過後の状態を調べた。
【００３６】
【表４】
2008032777.tif 000006
【００３７】
表４に示す結果より、貼り付け対象物がホワイトボードＷのように、その表面が平滑面であるならば、貼付層１４の厚みｔは、５μｍ以上であれば、光制御シートの使用状態を１２時間以上良好に保持できると言える。使用時間が２〜３時間以内であるような短時間の場合には、貼付層１４の厚みｔは、２μｍでも使用可能であると言える。
また、貼り付け対象物が壁紙のように、その表面に微小な凹凸形状を有する場合には、貼付層１４の厚みｔは、１０μｍ以上であることが、良好な貼付状態を維持するために望ましい。使用時間が、２〜３時間以内であるような短時間の場合には、貼付層１４の厚みｔは、５μｍでも使用可能であると言える。
以上のことから、貼付層１４の厚みｔは、１０μｍ以上であれば、光制御シートをホワイトボードＷや壁紙等の貼り付け対象物に貼付した使用状態を、良好に保持できると言える。
【００３８】
上述のように、貼付層１４の厚さｔは、５μｍ以上、５０μｍ以下の範囲内であることが好ましく、より好ましくは、１０μｍ以上、３０μｍ以下の範囲内である。貼付層１４の厚さｔをこの範囲内とすることにより、コントラストが高く、明るい映像を表示でき、かつ、ホワイトボードＷ等に貼付された使用状態を良好に保持できる。
【００３９】
以上示したように、本実施例によれば、従来の反射スクリーンを設置するための機構等を設けなくとも、ホワイトボードＷ等に貼付するだけで、容易に、コントラストが高く、明るい映像を表示することができる。
また、光透過部１２及び光吸収部１３を備えた本発明の光制御シート１０は、外光の影響を排除し、明室環境下においても、映り込みがなく、高いコントラストで明るい映像を表示可能である。
さらに、式（１）及び式（２）の少なくとも一方の関係を満たすことにより、明るくコントラストの高い映像を表示できる。そして、式（３）を満たすことにより、さらに明るくコントラストの高い高品位な映像を表示できる。
さらにまた、貼付層１４の厚さｔは、５μｍ以上、５０μｍ以下、より好ましくは、１０μｍ以上、３０μｍ以下であることが、明るく、コントラストの高い映像を表示し、かつ、光制御シート１０をホワイトボードＷ等に貼付された使用状態に保持するために好ましい。
【実施例２】
【００４０】
図３は、実施例２における光制御シート２０を映像源側上方から見た斜視図である。
実施例２は、実施例１に示した表面処理層１５の代わりに、正反射防止層２６が形成されている例である。よって、前述した実施例１と同様の機能を果たす部分には、末尾に同一の符号を付して、重複する説明を適宜省略する。
ベース部２１，光透過部２２，光吸収部２３，貼付層２４に関しては、実施例１と同様であるので、詳細な説明は省略する。
【００４１】
正反射防止層２６は、表面に多数の微細凹凸形状が無作為に形成された層であり、本実施例では、全透過効率≒９０％、拡散透過率≒３７％、ヘイズ値≒４２％である市販の拡散フィルム（株式会社きもと製  ＴＬ−４）を使用した。ヘイズ値は、ＪＩＳ  Ｋ７１０５−１９８１に準拠して、ヘイズメーター（ＮＤＨ２０００，日本電色工業株式会社製）を用いて測定した。
なお、図３では、作図上の都合により、正反射防止層２６の表面に波型形状が多数斜めに形成されているかのようにも見える図となっているが、本実施例における正反射防止層２６の表面形状は、そのような方向性を有したものではなく、いわゆるマット面のように、不規則な凹凸形状が多数無作為に並んだものである。
【００４２】
正反射防止層２６は、以下の機能を有している。
（１）映像源（プロジェクター光源エンジン部等）が光制御シートの最表面に映り込んで観察されてしまうことを防止する。
（２）光制御シートに投影された画像の観察可能な角度を広げる。
ここで、上記（１）の機能については、層内部に拡散材を混入させたタイプの拡散層（拡散フィルム）を用いる方法では、達成することができない。この機能を達成するためには、表面に微細な凹凸形状を有していることが必要である。
そして、この微細凹凸形状による光の拡散度に応じて、映像源の映り込み防止効果の程度を調節することができる。拡散の度合いが少なすぎると映り込みを抑えきれないが、かといって拡散度合いを強くしすぎると、映像が白みがかって観察されてしまう。そこで、拡散度の異なる多数の拡散フィルムを評価したところ、正反射防止層２６のヘイズ値としては、ヘイズ値２５％以上、９０％以下の範囲とすると、白みがかってしまうことなく映り込みを効果的に防止することができることが判った。
ただし、ヘイズ値が上記範囲にあったとしても、表面の形状によっては、上記（１）の機能を達成できない場合があった。
【００４３】
図４は、正反射防止層の表面形状の違いによる映像源の映り込み防止効果の違いについて説明する図である。
図４（ａ）のようにシート面と平行となる平坦面が多数存在していると、その平坦面において正反射する成分が多数存在することから、映像源の映り込みが発生してしまう。一方、仮に、図４（ａ）と図４（ｂ）とがヘイズ値としては同じ値を示すとしても、図４（ｂ）のように、シート面と平行となる平坦面が実質的に形成されておらず、全面が凹凸形状に覆われていることが上記（１）の映像源の映り込みを防止するために望ましい。
なお、シート面と平行ではないとしても、同一の方向を向いた平坦面が多数存在しているならば、特定の方向から観察すると映像源の映り込みが生じる恐れがあるので、平坦面ができる限り少ないことが、より望ましい。
【００４４】
本実施例によれば、正反射防止層２６を設けたので、視域を広げ、さらに、映像源の映り込みも完全に防止することができる。
【００４５】
（変形例）
以上説明した実施例に限定されることなく、種々の変形や変更が可能であって、それらも本発明の均等の範囲内である。
（１）各実施例において、光透過部の単位プリズム形状は、略台形形状であり、平面を組み合わせた形状である例を示したが、これに限らず、例えば、その一部又は全てが曲面を組み合わせた形状となっていてもよい。また、光透過部は、単位プリズム形状とせずに、裏面側及び映像源側の幅が等しい形状としてもよい。
【００４６】
（２）各実施例において、光透過部は、使用状態で上下対称である例を示したが、これに限らず、上下非対称であってもよい。例えば、光透過部と光吸収部との境界面となる上方の斜面と下方の斜面がシート面の法線方向となす角度が、異なっていてもよいし、下方の斜面をシート面の法線方向となす角度が異なる２種類の平面とからなっていてもよい。
【００４７】
（３）各実施例において、光透過部及び光吸収部は、水平方向に同一断面形状で延在し、垂直方向に多数並んでいる例を示したが、これに限らず、例えば、外光及び映像光の方向が水平方向であればそれに併せて９０度回転した形態としてもよいし、光透過部及び光吸収部の組合せを２層設けて、互いに直交するように配置してもよい。
【００４８】
（４）各実施例において、光吸収部は、光を吸収するビーズとして黒色顔料を混練した樹脂により形成する例を示したが、これに限らず、例えば、光透過部間に黒色ビーズを充填することにより形成してもよい。その場合、貼付層を用いて、又は、貼付層と光吸収部の裏面との間に保護層を設ける等して、光吸収部に充填された黒色ビーズを固定するとよい。
【００４９】
（５）実施例２において、正反射防止層として市販の拡散フィルムを用いた例を示したが、これに限らず、例えば、正反射防止層として多数の微小ビーズとこれを固着するバインダとを混練して、微小ビーズが固着されずにバインダのみとなっている部分よりも微小ビーズが固着されている部分を映像源側へ突出させて微細凹凸形状を形成してもよい。
【００５０】
（６）実施例２において、正反射防止層のさらに映像源側に、帯電防止処理、ハードコート処理、防汚処理、紫外線吸収処理の少なくとも一つの処理を正反射防止層の表面形状に沿って施してもよい。そうすることにより、正反射防止層の正反射する成分を低減させる機能を保ったまま帯電防止、ハードコート、防汚、紫外線吸収の機能を追加することができる。
【００５１】
（７）各実施例において、単位プリズム形状は、使用状態における上下方向で対称な形状となっており、式（１）から式（３）を満たすように形成した例を示したが、これに限らず、例えば、単位プリズム形状が非対称な形状となっている場合には、これらの式のいずれかを満足するようにしてもよい。
【００５２】
（８）各実施例において、式（１）及び式（２）の両方を満たす例を示したが、これに限らず、例えば、式（１）のみを満たしていてもよいし、式（２）のみを満たしていてもよい。
【００５３】
（９）各実施例において、貼付層中に、光を拡散させる光拡散材を混練して視域を広げるようにしてもよい。
【００５４】
（１０）各実施例において、貼付層は粘着性を有する例を示したが、これに限らず、例えば、微小な吸盤が形成されたシート等をを貼付層として用いてもよいし、貼り付け対象物に静電気を用いて貼付する形態としてもよい。
【図面の簡単な説明】
【００５５】
【図１】実施例１における光制御シート１０の使用状態を説明する断面図である。
【図２】実施例１における光制御シート１０の具体的な形状を示す図である。
【図３】実施例２における光制御シート２０を映像源側上方から見た斜視図である。
【図４】正反射防止層の表面形状の違いによる映像源の映り込み防止効果の違いについて説明する図である。
【符号の説明】
【００５６】
１０，２０    光制御シート
１１，２１    ベース部
１２，２２    光透過部
１３，２３    光吸収部
１４，２４    貼付層
１５    表面処理層
２６    正反射防止層
Ｗ    ホワイトボード
【図１】
2008032777.tif 000007
【図２】
2008032777.tif 000008
【図３】
2008032777.tif 000009
【図４】
2008032777.tif 000010